【手続補正書】
【提出日】平成25年12月5日(2013.12.5)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）シンボルのサブキャリアの第１の組内と後続のＯＦＤＭシンボルのサブキャリアの第２の組内とにパイロット信号を符号化するように構成されるロジックを含み、前記シンボルと前記後続のシンボルとが同じスマートユーティリティネットワークパケット内にある、集積回路であって、
前記シンボルが、各々がサブキャリアの前記第１の組内のパイロット信号で符号化された、後続のＯＦＤＭシンボルの第１の群の最後であり、
前記後続のシンボルが、各々がサブキャリアの前記第２の組内のパイロット信号で符号化された、後続のＯＦＤＭシンボルの第２の郡の最初であり、前記第１の群が前記第２の郡と同じ数のシンボルを含む、集積回路。
【請求項２】
直交周波数分割多重（ＯＦＤＭ）シンボルのサブキャリアの第１の組内と後続のＯＦＤＭシンボルのサブキャリアの第２の組内とにパイロット信号を符号化するように構成されるロジックを含み、前記シンボルと前記後続のシンボルとが同じスマートユーティリティネットワークパケット内にある、集積回路であって、
前記シンボルが、各々がサブキャリアの前記第１の組内のパイロット信号で符号化された、後続のＯＤＦＭシンボルの第１の郡の最後であり、
前記後続のＯＦＤＭシンボルが、各々がサブキャリアの前記第２の組内のパイロット信号で符号化された、後続のＯＦＤＭシンボルの第２の群の最初であり、前記第１の群が第２の群と異なる数のシンボルを含み、ドップラー拡散が減少する場合に前記第２の群がより多くのシンボルを含み、ドップラー拡散が増大する場合に前記第２の群がより少ないシンボルを含む、集積回路。
【請求項３】
請求項１に記載の集積回路であって、
前記第２の組内の各サブキャリアが前記第１の組内のサブキャリアでない、集積回路。
【請求項４】
請求項３に記載の集積回路であって、
サブキャリアの前記第２の組の前記後続のＯＦＤＭシンボル内の間隔が、前記シンボル内のサブキャリアの前記第１の組の間隔と同じである、集積回路。
【請求項５】
方法であって、
直交周波数分割多重（ＯＦＤＭ）シンボルのサブキャリアの第１の組内にパイロット信号を符号化することと、
後続のＯＦＤＭシンボルの、前記第１の組とは異なる、サブキャリアの第２の組内にパイロット信号を符号化し、前記シンボルと前記後続のＯＦＤＭシンボルとが、同じスマートユーティリティネットワークパケット内にあることと、
を含み、
前記シンボルが、各々サブキャリアの前記第１の組内のパイロット信号で符号化された、後続のＯＦＤＭシンボルの第１の群の最後であり、
前記後続のＯＦＤＭシンボルが、各々サブキャリアの前記第２の組内のパイロット信号で符号化された、後続のＯＦＤＭシンボルの第２の群の最初であり、前記第１の群が前記第２の群と同じ数のシンボルを含む、方法。
【請求項６】
方法であって、
直交周波数分割多重（ＯＦＤＭ）シンボルのサブキャリアの第１の組内にパイロット信号を符号化することと、
後続のＯＦＤＭシンボルの、前記第１の組とは異なる、サブキャリアの第２の組内にパイロット信号を符号化し、前記シンボルと前記後続のＯＦＤＭシンボルとが、同じスマートユーティリティネットワークパケット内にあることと、
を含み、
前記シンボルが、各々がサブキャリアの前記第１の組内のパイロット信号で符号化された、後続のＯＤＦＭシンボルの第１の郡の最後であり、
前記後続のＯＦＤＭシンボルが、各々がサブキャリアの前記第２の組内のパイロット信号で符号化された、後続のＯＦＤＭシンボルの第２の群の最初であり、前記第１の群が第２の群と異なる数のシンボルを含み、ドップラー拡散が減少する場合に前記第２の群がより多くのシンボルを含み、ドップラー拡散が増大する場合に前記第２の群がより少ないシンボルを含む、方法。
【請求項７】
直交周波数分割多重（ＯＦＤＭ）シンボルのサブキャリアの第１の組内と後続のＯＦＤＭシンボルのサブキャリアの第２の組内とにパイロット信号を符号化するように構成されるロジックを含み、前記シンボルと前記後続のシンボルとが同じスマートユーティリティネットワークパケット内にある、集積回路であって、
サブキャリアの前記第１の組とサブキャリアの前記第２の組とが１組のサブキャリアから選択され、前記１組のサブキャリアに−５２〜５２の番号が付され、
前記パイロット信号が、
最初のシンボルに対して、サブキャリア−３８、−２６、−１４、−２、１０、２２、３４、及び４６、
次のシンボルに対して、サブキャリア−４６、−３４、−２２、−１０、２、１４、２６、及び３８、
次のシンボルに対して、サブキャリア−４２、−３０、−１８、−６、６、１８、３０、及び４２、
次のシンボルに対して、サブキャリア−５０、−３８、−２６、−１４、−２、１０、２２、及び５０、
次のシンボルに対して、サブキャリア−４６、−３４、−２２、−１０、２、１４、３４、及び４６、
次のシンボルに対して、サブキャリア−４２、−３０、−１８、−６、６、１８、２６、及び３８、
次のシンボルに対して、サブキャリア−５０、−３８、−２６、−１４、−２、３０、４２、及び５０、
次のシンボルに対して、サブキャリア−４６、−３４、−２２、−１０、１０、２２、３４、及び４６、
次のシンボルに対して、サブキャリア−４２、−３０、−１８、−６、２、１４、２６、及び３８、
次のシンボルに対して、サブキャリア−５０、−３８、−２６、６、１８、３０、４２、及び５０、
次のシンボルに対して、サブキャリア−４６、−３４、−１４、−２、１０、２２、３４、及び４６、
次のシンボルに対して、サブキャリア−４２、−３０、−２２、−１０、２、１４、２６、及び３８、
次のシンボルに対して、サブキャリア−５０、−１８、−６、６、１８、３０、４２、及び５０、
上で符号化される、集積回路。
【請求項８】
直交周波数分割多重（ＯＦＤＭ）シンボルのサブキャリアの第１の組内と後続のＯＦＤＭシンボルのサブキャリアの第２の組内とにパイロット信号を符号化するように構成されるロジックを含み、前記シンボルと前記後続のシンボルとが同じスマートユーティリティネットワークパケット内にある、集積回路であって、
サブキャリアの前記第１の組とサブキャリアの前記第２の組とが１組のサブキャリアから選択され、前記１組のサブキャリアに−２６〜２６の番号が付され、
前記パイロット信号が、
最初のシンボルに対して、サブキャリア−１４、−２、１０、及び２２、
次のシンボルに対して、サブキャリア−２２、−１０、２、及び１４、
次のシンボルに対して、サブキャリア−１８、−６、６、及び１８、
次のシンボルに対して、サブキャリア−２６、−１４、−２、及び２６、
次のシンボルに対して、サブキャリア−２２、−１０、１０、及び２２、
次のシンボルに対して、サブキャリア−１８、−６、２、及び１４、
次のシンボルに対して、サブキャリア−２６、６、１８、及び２６、
上で符号化される、集積回路。
【請求項９】
直交周波数分割多重（ＯＦＤＭ）シンボルのサブキャリアの第１の組内と後続のＯＦＤＭシンボルのサブキャリアの第２の組内とにパイロット信号を符号化するように構成されるロジックを含み、前記シンボルと前記後続のシンボルとが同じスマートユーティリティネットワークパケット内にある、集積回路であって、
サブキャリアの前記第１の組とサブキャリアの前記第２の組とが１組のサブキャリアから選択され、前記１組のサブキャリアに−１３〜１３の番号が付され、
前記パイロット信号が、
最初のシンボルに対して、サブキャリア−７及び７、
次のシンボルに対して、サブキャリア−１１及び３、
次のシンボルに対して、サブキャリア−３及び１１、
次のシンボルに対して、サブキャリア−９及び５、
次のシンボルに対して、サブキャリア−５及び９、
次のシンボルに対して、サブキャリア−１３及び１、
次のシンボルに対して、サブキャリア−１及び３、
上で符号化される、集積回路。
【請求項１０】
直交周波数分割多重（ＯＦＤＭ）シンボルのサブキャリアの第１の組内と後続のＯＦＤＭシンボルのサブキャリアの第２の組内とにパイロット信号を符号化するように構成されるロジックを含み、前記シンボルと前記後続のシンボルとが同じスマートユーティリティネットワークパケット内にある、集積回路であって、
サブキャリアの前記第１の組とサブキャリアの前記第２の組とが１組のサブキャリアから選択され、前記１組のサブキャリアに−７〜７の番号が付され、
前記パイロット信号が、
最初のシンボルに対して、サブキャリア−３及び５、
次のシンボルに対して、サブキャリア−７及び１、
次のシンボルに対して、サブキャリア−５及び３、
次のシンボルに対して、サブキャリア−１及び７、
上で符号化される、集積回路。